(57)【要約】【課題】商品画像撮影（小規模物品の撮影）の照明設定を簡易に自動化する。【解決手段】撮影対象物１０を覆って設置されたドーム型リアスクリーン２と、設定された照明条件に基づいて映像信号を発生させるバックカラー発生装置７と、前記バックカラー発生装置７から発生された前記映像信号に基づく照明を前記ドーム型リアスクリーン２に投射するビデオプロジェクタ１と、前記撮影対象物１０を撮影する撮影用カメラ５と、を備えることを特徴とする、撮影システムを提供する。【選択図】図１
2012023542.tif 000002
【特許請求の範囲】
【請求項１】
撮影対象を覆って設置された、透過性を有するドーム型リアスクリーンと、
設定された照明条件に基づいて映像信号を発生させる映像信号発生手段と、
前記映像信号発生手段から発生された前記映像信号に基づく照明を前記ドーム型リアスクリーンに投射するビデオプロジェクタと、
前記撮影対象を撮影するカメラと、
を備えることを特徴とする、撮影システム。
【請求項２】
前記カメラが、前記ドーム型リアスクリーンに接して設置されており、前記ドーム型リアスクリーンの前記カメラが接する部分の周囲を覆う遮光部材を備えることを特徴とする、請求項１記載の撮影システム。
【請求項３】
前記映像信号発生手段による前記映像信号の発生を制御するコンピュータを備え、
前記コンピュータは、前記照明条件を設定することを特徴とする、請求項１又は２記載の撮影システム。
【請求項４】
撮影対象の位置を検出する撮影対象物位置検出用カメラを備え、
前記コンピュータは、前記撮影対象物位置検出用カメラが出力する映像を表示することを特徴とする、請求項３記載の撮影システム。
【請求項５】
前記映像信号発生手段はコンピュータであり、該コンピュータは、映像信号を発生させて前記ビデオプロジェクタに直接前記映像信号を入力することを特徴とする、請求項１又は２記載の撮影システム。
【請求項６】
前記照明条件がプリセットされたプリセットボタンを複数有し、
前記映像信号発生手段は、押下された前記プリセットボタンにプリセットされた照明条件に基づいて映像信号を発生させることを特徴とする、請求項１から５のいずれか１項記載の撮影システム。
【発明の詳細な説明】
【技術分野】
【０００１】
本発明は、撮影システムに関し、特に、商品画像撮影（小規模物品の撮影）用の撮影システムに関する。
【背景技術】
【０００２】
パンフレットやホームページ等に使用する商品画像の撮影（俗に「ブツ撮り」と呼ばれることもある）においては、撮影専門の照明技術者の技術が必要で、且つ、複数の照明機材と撮影スタジオ又はそれに準じた施設が必要であった。
【０００３】
また、演出者の意図を照明技術者に伝え、照明プランを具現化する必要があり、意思の疎通が十分でなかったり、照明技術者の技術レベルによっては演出者の意図している照明ができない場合もあった。
【０００４】
上述のような背景から、商品画像撮影の自動化、ないし、照明設定の自動化に関連して、例えば、特許文献１ないし３の発明が考案されている。
【０００５】
特許文献１には、例えば、段落００３８や段落００４７を参照すると、あらかじめ設定されたカメラ設定で商品撮影をすること、また、撮影照度や撮影フード角度等を撮影条件として読み出して照明ユニットの照度を最適な状態に自動調整することが記載されている。
【０００６】
特許文献２には、段落００５８ないし００６０等を参照すると、撮影者による手動で照度や角度などを設定して照明装置を設定することが記載されている。
【０００７】
特許文献３には、段落００２７や図１を参照すると、全隔壁が透明であるステージ１とステージ１の隔壁をその外側から照明する照明装置が記載されている。
【先行技術文献】
【特許文献】
【０００８】
【特許文献１】特開２０００−０２９０９９号公報
【特許文献２】特開２００４−２７１９３８号公報
【特許文献３】特許第４１７４０１８号公報
【発明の概要】
【発明が解決しようとする課題】
【０００９】
上記特許文献１は商品画像撮影の自動化を図ってはいるが、複雑な機構が必要になるという問題点がある。また、特許文献２や特許文献３は人物やステージ撮影に特化しており大規模で複雑な機構が必要である。
【００１０】
本発明は上記実情に鑑みてなされたものであって、小規模物品の撮影の照明設定を簡易に自動化することを可能にした撮影システムを提供することを目的とする。
【課題を解決するための手段】
【００１１】
上記目的を達成するために本発明は、第１の態様として、撮影対象を覆って設置されたドーム型リアスクリーンと、設定された照明条件に基づいて映像信号を発生させる映像信号発生手段と、前記映像信号発生手段から発生された前記映像信号に基づく照明を前記ドーム型リアスクリーンに投射するビデオプロジェクタと、前記撮影対象を撮影するカメラと、を備えることを特徴とする、撮影システムを提供するものである。
【発明の効果】
【００１２】
本発明によれば、小規模物品の撮影の照明設定を簡易に自動化することを可能にした撮影システムを提供することが可能となる。
【図面の簡単な説明】
【００１３】
【図１】本発明による第１の実施形態の構成を示す構成図である。
【図２】本発明による第２の実施形態の構成を示す構成図である。
【図３】本発明による第３の実施形態の構成を示す構成図である。
【発明を実施するための形態】
【００１４】
本発明を、以下、実施形態により詳細に説明する。
図１を参照すると、本発明による第１の実施形態の構成が示されている。
本実施形態の撮影システムは、ドーム型リアスクリーン２と、バックカラー発生装置７と、ビデオプロジェクタ１と、撮影用カメラ５とを少なくとも備える。バックカラー発生装置７は、設定された照明条件に基づいて映像信号を発生させ、映像信号発生手段として機能する。
【００１５】
ユーザは撮影用ステージ３に、撮影対象物１０を置き、その上にドーム型リアスクリーン２を被せるように設置する。更にセンサ装置つき可動式カメラ固定用雲台４に撮影用カメラ５と撮影対象物位置情報検出用ＣＣＤカメラ６を設置する。センサ装置つき可動式カメラ固定雲台４に設置された撮影用カメラ５及び撮影対象物位置情報検出用ＣＣＤカメラの状態（カメラの設置高、レンズの角度、レンズサイズなどの情報）のデータはセンサ装置つき可動式雲台４より制御用タッチパネルコンピュータ８に送られ（または、制御用タッチパネルコンピュータ８に手動で入力され）、撮影対象物位置情報検出用ＣＣＤカメラ６の画像と合わせて照合されることにより、制御用タッチパネルコンピュータ８の画面に表示される撮影用カメラ５の画像と、ドーム型リアスクリーン２に投射されるプロジェクタ光の位置関係を関連付ける。
【００１６】
また、撮影用カメラ５の画像と、ドーム型リアスクリーン２に投射されるプロジェクタ光の位置関係の関連づけがされない場合でも線、多角形、点、円などのプリセット図形が用意されており、モニタ映像を確認しながらタッチパネル操作により拡大、縮小、自由変形を行うことにより、同様の効果を得ることが出来る。
【００１７】
撮影対象物１０はドーム型リアスクリーン２にビデオプロジェクタ１から投射されたプロジェクタ光で照明される。ドーム型リアスクリーンはビデオプロジェクタ光をその光学特性によって、撮影対象物１０を包み込むように照明する機能を持つ。遮光ジャバラ板はセンサー装置つき可動式カメラ固定雲台に固定された撮影用カメラ５の可動軌道上に出来る隙間について外部からドーム型リアスクリーン２に入射する不必要な入射光を遮断する機能を持つ。
【００１８】
制御用タッチパネルコンピュータ８には、バックカラー発生装置７を制御するソフトウエアがインストールされており、制御用タッチパネルコンピュータ８の画面には、光の強弱、色使いなどを指定する照明調整用メニューパレットが、実画像と同じ画面に表示され、ユーザはタッチパネルを指、もしくはタッチペンで撮影対象物１０に対する照明の当て方、光の強弱やタッチなどをつけていく。
【００１９】
本実施形態では照明調整用メニューパレットにて撮影対象物１０に対する照明効果を自由自在に操作する事が可能である。例えば全体を白い照明で包み込んだり、タッチパネルで指定した地点間の照明をグラデーションにしたり、照明に様々な色をつけたり、従来は細かな照明効果を出すのが難しかった小物でも細かな照明効果を得ることを可能とした。
【００２０】
例えば撮影対象物のエッジにハイライトのタッチラインをつけたい場合は、実画像のタッチラインをつけたいところをタッチペンでなぞる、あるいはタッチをつけたい範囲の両端を触れて制御用タッチパネルコンピュータ８に認識させ、照明調整用メニューパレットを操作することにより、タッチの明るさ、色、タッチラインの幅、形などを自在にコントロールすることが可能である。また、タブレット９を使用すれば更に細かい操作も可能となる。こうした作業を経て、ビデオプロジェクタ１による再生画像はそれを表現してドーム型リアスクリーン２に投射されるため、作業者であるユーザの思うとおりの照明が可能である。
【００２１】
また、基本照明を数パターンプリセットとして登録しておけば、撮影対象物１０に対する簡易的な照明が可能であり、作業者の作業時間の削減が可能である。
【００２２】
さらに、著名な写真家や演出家と契約し、それらアーティストの照明パターンをプリセットパターンに登録することで、基本となる照明技術をそれらアーティストから継承した形で個性的な照明を行う事も可能である。
【００２３】
また、撮影対象物１０に対してさらなる照明効果を得たい場合は、ビデオプロジェクタ１の台数をｎ台とし各々適した角度でドーム型リアスクリーン２に照明光を照射することにより、ドーム型リアスクリーン２の光学特性で補えきれない照明効果を得ることも可能である。この場合、制御用タッチパネルコンピュータ８で制御されたバックカラー発生装置７からそれぞれのビデオプロジェクタに対して割り当てられ分割された照明用映像信号が供給され撮影対象物１０を照明する。
【００２４】
本実施形態の効果について述べる。
第１の効果は、商品画像撮影（小規模物品の撮影）の照明設定を簡易に自動化することが可能になることである。
その理由は、本実施形態の基本構成が、透過性を有するドーム型リアスクリーンにビデオプロジェクタで照明を投射するという簡易なものであるためである。また、ビデオプロジェクタに映像信号を入力するバックカラー発生装置にて、設定された照明条件に基づいて映像信号を発生させるよう構成しているので、照明設定が自動化する。
【００２５】
第２の効果は、撮影用ステージに設置した撮影対象物を照明技術者の技術なしに自由自在に照明できることにある。
その理由は、照明パターン創出に関して、光の強弱、色使いなどを指定する照明調整用ソフトウエアとそれに連動するバックカラー発生装置を制御するタッチパネルコンピュータに操作で、タッチパネルモニタで確認しながら照明を施すことができる事にある。
【００２６】
第３の効果は、撮影用カメラ５がドーム型リアスクリーン２に接して設置されている部分の周辺に遮光ジャバラ板１１を接しているため、ドーム型リアスクリーン２を透過してドーム内に入ったビデオプロジェクタ１の強い投射光が直接撮影用カメラ５に入らないという効果である。
【００２７】
上記実施形態の変形実施形態について説明する。
図２に、第２の実施形態の構成を示す。
第２の実施形態では、図１の実施形態にあるバックカラー発生装置７を必要としない。制御用タッチパネルコンピュータ１８にインストールされた照明調整用ソフトウエアはバックカラー発生装置７が無くても照明対象物１０を照明することを可能とするビデオ信号を制御用タッチパネルコンピュータ１８の出力端子から直接出力する。すなわち、制御用タッチパネルコンピュータ１８が、映像信号発生手段として機能する。
このように構成することによっても、上記第１の実施形態と同等の効果が得られる。また、第１の実施形態よりもさらに簡易な構成で機能の実現が可能になる。
【００２８】
次に、第３の実施形態の構成について図面を参照して詳細に説明する。
図３に、第３の実施形態の構成を示す。図３に示すように、第３の実施形態の構成は、第１の実施形態の構成をシンプルにしたものである。ビデオプロジェクタ１に接続されているのはバックカラー発生装置２７であり、バックカラー発生装置は基本的な照明パターンを数パターン有する。パターン変更はプリセット照明選択ボタン２８で選択する。本実施形態は基本照明パターンを組み合わせて利用することも可能である。
【００２９】
第３の実施形態においては、センサー装置つき可動式カメラ固定用雲台４や撮影対象物位置検出用ＣＣＤカメラ６を備えない。照明条件の設定をプリセットで行うためである。
【００３０】
第３の実施形態によれば、さらに簡易な構成で照明設定の自動化が可能になる。
【００３１】
上記実施形態の一部又は全部は、以下の付記のようにも記載されうるが、以下には限られない。
【００３２】
（付記１）
撮影対象を覆って設置された、透過性を有するドーム型リアスクリーンと、
設定された照明条件に基づいて映像信号を発生させる映像信号発生手段と、
前記映像信号発生手段から発生された前記映像信号に基づく照明を前記ドーム型リアスクリーンに投射するビデオプロジェクタと、
前記撮影対象を撮影するカメラと、
を備えることを特徴とする、撮影システム。
【００３３】
（付記２）
前記カメラが、前記ドーム型リアスクリーンに接して設置されており、前記ドーム型リアスクリーンの前記カメラが接する部分の周囲を覆う遮光部材を備えることを特徴とする、付記１記載の撮影システム。
【００３４】
（付記３）
前記映像信号発生手段による前記映像信号の発生を制御するコンピュータを備え、
前記コンピュータは、前記照明条件を設定することを特徴とする、付記１又は２記載の撮影システム。
【００３５】
（付記４）
撮影対象の位置を検出する撮影対象物位置検出用カメラを備え、
前記コンピュータは、前記撮影対象物位置検出用カメラが出力する映像を表示することを特徴とする、付記３記載の撮影システム。
【００３６】
（付記５）
前記映像信号発生手段はコンピュータであり、該コンピュータは、映像信号を発生させて前記ビデオプロジェクタに直接前記映像信号を入力することを特徴とする、付記１又は２記載の撮影システム。
【００３７】
（付記６）
前記照明条件がプリセットされたプリセットボタンを複数有し、
前記映像信号発生手段は、押下された前記プリセットボタンにプリセットされた照明条件に基づいて映像信号を発生させることを特徴とする、付記１から５のいずれか１項記載の撮影システム。
【符号の説明】
【００３８】
１    ビデオプロジェクタ
２    ドーム型リアスクリーン
３    撮影用ステージ
４    センサー装置つき可動式カメラ固定用雲台
５    撮影用カメラ
６    撮影対象物位置検出用ＣＣＤカメラ
７    バックカラー発生装置
８    制御用タッチパネルコンピュータ
９    タブレット
１０    撮影対象物
１１    遮光ジャバラ板
１８    （第２の実施形態の）制御用タッチパネルコンピュータ
２７    （第３の実施形態の）バックカラー発生装置
２８    プリセット照明選択ボタン
【図１】
2012023542.tif 000003
【図２】
2012023542.tif 000004
【図３】
2012023542.tif 000005